(57)【要約】【課題】  安価に製造できながら、若干変形したコインなどでも詰まることが少なく、かつ、比較的多くの枚数のコインを貯留できる自動販売機のコイン払出装置を提供する。【解決手段】  本発明の自動販売機のコイン払出装置２０は、投入されたコインＣを一時的に貯留する貯留部２４が設けられ、この貯留部２４は、コイン厚みに沿う方向に貯留部２４を見て、コインＣが略千鳥状に２列になる状態で収納する形状に形成されている。すなわち、貯留部２４は、コインＣが幅方向に千鳥状２列に収納される広幅部２４ａと、少なくとも片側の壁面が下方ほど通路幅が小さくなるように傾斜された接続部２４ｅと、コインＣが一列だけ上下に並ぶ細幅部２４ｂとから構成されている。この構成により、貯留部２４において、コインＣを２列に並べて比較的多くの枚数のコインを貯留できる。【選択図】    図６
2007087093.tif 000002
【特許請求の範囲】
【請求項１】
投入されたコインを一時的に貯留する貯留部が設けられ、この貯留部は、その収容空間が、コイン１枚分より大きくコイン２枚分より小さい厚みで、コイン厚みに沿う方向に貯留部を見て、コインが略千鳥状に２列になる状態で収納する形状に形成されていることを特徴とする自動販売機のコイン払出装置。
【請求項２】
貯留部は、コインが幅方向に略千鳥状２列に収納される広幅部と、少なくとも片側の壁面が下方ほど通路幅が小さくなるように傾斜された接続部と、コインが一列だけ上下に並ぶ細幅部とから構成されていることを特徴とする請求項１記載の自動販売機のコイン払出装置。
【請求項３】
貯留部が、側面視して傾斜して配置されていることを特徴とする請求項１または２に記載の自動販売機のコイン払出装置。
【請求項４】
貯留部におけるコインを導入するコイン導入部が自動販売機本体内の奥側に配置され、貯留部におけるコインを払い出すコイン払出部が自動販売機の本体内の手前側に配置されていることを特徴とする請求項３記載の自動販売機のコイン払出装置。
【請求項５】
コイン流れ経路における貯留部の上流箇所に、コインの流れ方向を貯留部とコインを回収する回収部側とに切り換える第１の切換部を設け、コイン流れ経路における貯留部の下流箇所に、この箇所に出退自在とされて、貯留部からコインが排出されることを規制する規制体を設け、この規制体が設けられている箇所の下流に、貯留部から払い出されるコインを外部に払い出すコイン返却部と回収部とに切り換える第２の切換部を設けたことを特徴とする請求項１〜４の何れか１項に記載の自動販売機のコイン払出装置。
【発明の詳細な説明】
【技術分野】
【０００１】
本発明は、自動販売機のコイン払出装置に関する。
【背景技術】
【０００２】
自動販売機は、商品販売時に、投入金額と販売価格との差額を釣り銭として返却する機能、すなわち、コインの払出機能を有している。
自動販売機においては、自動販売機本体内に飲料などの物品を収納して販売する物品（例えば飲料など）販売型の自動販売機以外に、食券やきっぷなどの券を販売する自動販売機、いわゆる券売機がある。この券売機等の自動販売機は、上記飲料などの物品販売の自動販売機などに比べて、一般的に発券枚数が多いため、釣り銭払出機能（釣り銭払出可能枚数）としても比較的大きなものを要する場合が多い。したがって、この種の自動販売機、いわゆる券売機では、特許文献１、２などに開示されているように、ホッパ状のコイン貯留部に多量のコインを貯留し、コインが１枚ずつ入る凹部を適当角度毎に複数形成された回転式のディスクを回転させることにより、コインを１枚ずつ払い出す、いわゆるコインホッパが用いられる場合が多い。このコインホッパは、自動販売機における釣り銭として払い出すコインの種類に対応した数だけ、例えば、１０円玉、５０円玉、１００円玉、５００円玉を扱う自動販売機の場合には４台のコインホッパが１つの自動販売機に設けられる。
【０００３】
しかしながら、この種のコインホッパは、機構が複雑であって高価であるため、例えば、１台の自動販売機に４台のコインホッパを設ける構成とすると、これらを内蔵する自動販売機の製造コストもかなり高価となってしまう欠点がある。
【０００４】
したがって、釣り銭として払い出すことができる貯留量（釣り銭払出可能枚数）があまり多くなくてもよい箇所に設置される券売機などの自動販売機においては、例えば、釣銭として払い出す量が多い、１０円玉や１００円玉についてのみ、それぞれコインホッパを設ける一方で、比較的払い出す量が少なくて済む５０円玉や５００円玉用のコイン払出装置として、コインホッパよりも構造が簡単で安価なもので済ますことが考えられる。
【０００５】
この種のコイン払出装置としては、特許文献３などに開示されているように、コインを筒状部に厚み方向に重ねて貯留するタイプのコイン払出装置があり、このコイン払出装置は、いわゆるコインホッパ式のコイン払出装置と比べると、構造が簡単であり、安価に済ませる利点がある。
【特許文献１】特開平１１−３５３５１１号公報
【特許文献２】特開２００４−３４８３８６公報
【特許文献３】特開平１１−２８８４７６号公報
【発明の開示】
【発明が解決しようとする課題】
【０００６】
しかしながら、この種のコイン払出装置では、厚み方向に変形しているコインが挿入されると、この筒状部内でコインが詰まってしまい払出機能が使えなくなってしまう不具合がある。
【０００７】
これに対処する手法として、投入されたコインを一時的に貯留する貯留部を、コインをその直径方向に１列に整列する形状に形成することが考えられ、その貯留部の厚みを、コイン１枚分の厚みより大きく、コイン２枚分の厚みより小さくすることで、厚み方向に若干変形しているコインでも、支障無く貯留したり払い出したりすることが可能となる。
【０００８】
しかしながら、このような貯留部を有するコイン払出装置では、コインをその直径方向に１列に整列する配置であるため、コインの貯留枚数がかなり少量となってしまう欠点がある。
【０００９】
本発明は上記課題を解決するもので、安価に製造できながら、若干変形したコインなどでも詰まることが少なく、かつ、比較的多くの枚数のコインを貯留できる自動販売機のコイン払出装置を提供することを目的とするものである。
【課題を解決するための手段】
【００１０】
上記課題を解決するために本発明の自動販売機のコイン払出装置は、投入されたコインを一時的に貯留する貯留部が設けられ、この貯留部は、その収容空間が、コイン１枚分より大きくコイン２枚分より小さい厚みで、コイン厚みに沿う方向に貯留部を見て、コインが略千鳥状に２列になる状態で収納する形状に形成されていることを特徴とする。より具体的には、貯留部は、コインが幅方向に略千鳥状２列に収納される広幅部と、少なくとも片側の壁面が下方ほど通路幅が小さくなるように傾斜された接続部と、コインが一列だけ上下に並ぶ細幅部とから構成されている。
【００１１】
この構成により、簡単な構成であるので安価に製造できながら、若干変形したコイン、詳しくは、コイン２枚分よりも小さな変形量のコインなどでも貯留部に詰まることが少なく、また、貯留部において、コインを略千鳥状に２列に並べて比較的多くの枚数のコインを貯留できる。
【００１２】
また、本発明は、貯留部が、側面視して傾斜して配置されていることを特徴とする。
この構成により、貯留部が上下方向に対して同じ高さでも、貯留部を上下方向に沿うように配置した場合と比較してコインの貯留枚数を増加させることができる。
【００１３】
また、本発明は、貯留部におけるコインを導入するコイン導入部が自動販売機本体内の奥側に配置され、貯留部におけるコインを払い出すコイン払出部が自動販売機の本体内の手前側に配置されていることを特徴とする。
【００１４】
この構成により、貯留部からコインが払い出されるコイン払出部が、自動販売機の本体内の手前側に配置されているので、前記コイン払出部を自動販売機のコイン返却部に接近して配置でき、コイン返却部への返却動作を素早く行うことが可能となる。
【００１５】
また、本発明は、コイン流れ経路における貯留部の上流箇所に、コインの流れ方向を貯留部とコインを回収する回収部側とに切り換える第１の切換部を設け、コイン流れ経路における貯留部の下流箇所に、この箇所に出退自在とされて、貯留部からコインが排出されることを規制する規制体を設け、この規制体が設けられている箇所の下流に、貯留部から払い出されるコインを外部に払い出すコイン返却部と回収部とに切り換える第２の切換部を設けたことを特徴とし、この構成により、コインの流れ方向を、良好に制御することができる。
【発明の効果】
【００１６】
以上のように本発明によれば、投入されたコインを一時的に貯留する貯留部として、その収容空間が、コイン１枚分より大きくコイン２枚分より小さい厚みで、コイン厚みに沿う方向に貯留部を見て、コインが略千鳥状に２列になる状態で収納する形状に形成したことにより、簡単な構成であるので安価に製造できながら、若干変形したコイン、詳しくは、コイン２枚分よりも小さな変形量のコインなどでも貯留部に詰まることが少なく、また、貯留部において、コインを２列に並べて比較的多くの枚数のコインを貯留できる。
【００１７】
また、貯留部を、側面視して傾斜して配置したことにより、コインの貯留枚数を比較的多めにすることができ、さらに、貯留部におけるコインを導入するコイン導入部を自動販売機本体内の奥側に配置し、貯留部におけるコインを払い出すコイン払出部を自動販売機の本体内の手前側に配置することで、コイン払出装置からコイン返却部への返却動作を素早く行うことが可能となり、利便性が向上する。
【発明を実施するための最良の形態】
【００１８】
以下、本発明の実施の形態について、図１〜図１３を用いて説明する。
この実施の形態における自動販売機は、食券などの券を販売するタイプの、いわゆる券売機である。なお、券売機以外の自動販売機にも適用できる。図１（ａ）、（ｂ）に示すように、自動販売機は、自動販売機本体１と、この自動販売機本体１の全面に開閉自在に取り付けられた前面扉２とから構成されている。前面扉２の上部には、商品（商品に対応する食券）などを選択する複数の選択押釦３が縦横に複数列配設され、前面扉２の略中央部には、食券やつり銭が払い出されるコイン返却部としても機能する取出口４が形成され、前面扉２の上端部には、コインや紙幣を投入するコイン投入口５や紙幣投入口６、貨幣の返却指示を行うための返却レバー７、投入金額などを表示する表示部８などが設けられている。
【００１９】
図２は、この自動販売機の、前面扉２を開けた状態を表し、この図に示すように、自動販売機本体１には、コイン投入口５からのコインをその種類別に振り分けるコイン選別機１１や、コイン投入口５に投入されたコインをコイン選別機１１に案内するコインガイド１２が内蔵され、コイン選別機１１により選別されたコインが、複数のコイン導入通路１４ａ〜１４ｅを介して、１０円玉用のコインホッパ型のコイン払出装置１５と、１００円玉用のコインホッパ型のコイン払出装置１６と、本発明に係る５０円玉用および５００円玉用のコイン払出装置２０と、正規でないコインと識別されたコイン用の、取出口４への戻し用通路５０とに振り分けられて送り出されるようになっている。なお、図２における４ａは、コインなどを取出口４に導く取出口シュートである。
【００２０】
１０円玉用のコイン払出装置１５と１００円玉用のコイン払出装置１６は、図３に示すように、コインホッパ型とされ、コインホッパ部１７に収納したコインを、コイン払出機構１８により、１枚ずつコイン払出口１９を介して外部へ払い出すよう構成されている。コイン払出口１９から払いだされたコインは、図示しない切換ガイド通路を介して、コイン払出装置１５、１６の下方に配設されたコイン回収部４１（４１ａ，４１ｂ）または、取出口４へ払い出される。
【００２１】
一方、本発明に係るコイン払出装置２０は、図４〜図６などに示すように、コインを導入するコイン導入部としての上端部が自動販売機本体１内の奥側に配置され、コインを払い出すコイン払出部としての下端部が自動販売機の手前側箇所に寄るように、側面視して傾斜して配置されているベース部２１と、このベース部２１を覆うカバー２２（図２参照）と、べース部２１を傾斜状態に支持している側板部２３などを有しており、ベース部２１には、コイン（５０円玉または５００円玉）１枚分より少し大きい（コイン２枚分よりは小さい）厚みで窪まされて、コインＣを一時的に貯留する２つの貯留部２４が形成され（向かって左側に５００円玉の貯留部２４Ａが形成され、向かって右側に５０円玉の貯留部２４Ｂが形成されている）、このベース部２１とカバー２２とにより囲まれた貯留部２４の空間にコインＣが貯留される。ここで、各貯留部２４は、斜め上方から奥側に見て、上部から中央部にかけては、コインＣが、略千鳥状に横２列になる状態で収納する広幅部２４ａとされている一方、片側の壁面が下方ほど通路幅が小さくなるように傾斜された接続部２４ｅを介して、貯留部２４の下部は、広幅部２４ａから滑らかに細幅形状につなげられて、コインＣが一列だけ上下に並ぶ細幅部２４ｂとされている。そして、貯留部２４の広幅部２４ａにおける上端箇所に、コイン導入通路１４ｃ、１４ｄから、カバー２２の上端に形成されたガイド面２２ａに導かれながら貯留部２４にコイン（５０円玉または５００円玉）が導入されるよう構成されている。
【００２２】
また、コイン払出装置２０における、貯留部２４間の後部寄りの箇所には、上下方向に延びて、コイン回収用の通路である回収用通路２９が形成され、この回収用通路２９は、後述する回収案内路４２を介してコイン回収部４１（４１ｃ，４１ｄ）に接続されている。なお、図示しないが、前記コイン回収用の通路である回収用通路２９内は、幅方向に対して中央で仕切る仕切板が設けられて左右に別々の通路が形成されており、５０円玉と５００円玉とが種類別に案内されるようになっている。また、回収案内路４２内空間も、コイン回収部４１ａ〜４１ｄと同様に幅方向に４つに仕切られており、所定の種類のコインＣが、その種類に対応したコイン回収部４１ａ〜４１ｄに回収される。
【００２３】
コインＣが導入される貯留部２４の上端箇所には、このコインＣが導入されてきた直ぐ下流の部分（コイン満杯箇所２４ｃと称し、貯留部２４においてコインＣが満杯となった際に最後のコインＣが溜まる箇所）に出退自在とされて、コインＣの流れ方向を貯留部２４とコインＣの回収部４１とに切り換える第１の切換体２５（図７、図８参照）が設けられ、また、貯留部２４の細幅部２４ｂの下端箇所には、この箇所（コイン排出規制箇所２４ｄと称す）に出退自在とされて、貯留部２４からコインＣが排出されることを規制する規制体２６が設けられ、さらに、前記コイン排出規制箇所の直下位置に、貯留部２４からのコインＣを釣銭払出部としての取出口４側と、回収部４１に続く回収案内路４２とに切り換える第２の切換体２７とが設けられている。
【００２４】
図７、図８に示すように、第１の切換体２５は、ベース部２１におけるコイン満杯箇所２４ｃの裏面となる箇所において、軸２８を中心に回転自在に支持されており、図７（ａ）に示すようにコイン満杯箇所２４ｃにコインＣがない状態では、図７（ｂ）に示すような姿勢となるように後部に形成されているおもり部２５ａと、ベース部２１に形成された孔２１ａからコイン満杯箇所２４ｃに出退自在に配置されたコイン当接部２５ｂと、ベース部２１に形成された孔２１ｂからコイン満杯箇所２４ｃの直上流箇所に出退自在に配置された流路切換用リブ２５ｃとが金属板で一体形成されている。そして、図７に示すように、貯留部２４においてコインＣが満杯とならずに、このコイン満杯箇所２４ｃにコインＣが無い状態では、コイン当接部２５ｂが、貯留部２４のコイン満杯箇所２４ｃに突出しているため、切換用リブ２５ｃがコイン満杯箇所２４ｃの直上流箇所に突出せず、コインＣがコイン満杯箇所２４ｃ側に流れてきた際には、コイン当接部２５ｂに当接した後、コイン当接部２５ｂをベース部２１の裏面側に押し退けて、貯留部２４内にコインＣをそのまま導入するようになっている。なお、コイン当接部２５ｂは、斜め下方に傾斜する断面形状に形成され、コインＣに当接した際に、コイン満杯箇所２４ｃの裏面側に容易に押込まれるようになっている。一方、図８に示すように、貯留部２４においてコインＣが満杯となった状態では、コイン当接部２５ｂがコインＣに常に当接した状態となって、第１の切換体２５がａ方向に回動した姿勢となるため、切換用リブ２５ｃがコイン満杯箇所２４ｃの直上流箇所に突出する。この切換用リブ２５ｃは、図８（ａ）に示すように、コインＣの導入方向に対して傾斜して形成されており、この切換用リブ２５ｃによりコインＣ流れ方向が変更され、このコインＣが、孔部２９ａ（図６参照）を通して、両方の貯留部２４間に形成された、回収部４１への案内通路（回収用通路）２９（図５参照）に導かれて、回収案内路４２を介して回収部４１に回収されるようになっている。
【００２５】
また、図９、図１０に示すように、貯留部２４のコイン排出規制箇所２４ｄに出退自在とされている規制体２６は、ベース部２１におけるコイン排出規制箇所２４ｄの裏面となる箇所において、軸２８を中心に回転自在に支持されているとともに、第１のソレノイド４３が駆動連結部（図示せず）に連結され、第１のソレノイド４３によって軸２８を中心に回転駆動されるようになっている。また、規制体２６は、規制体２６の下部に左右方向に延びるように形成されてコイン排出規制箇所２４ｄの下寄り箇所の孔から突出自在とされた１つの下部規制部２６ｂと、規制体２６の上部左端と右端箇所で上下に延びるように２箇所に形成されてコイン排出規制箇所２４ｄの上より箇所の孔から突出自在とされた上部規制部２６ｃとが一体形成されている。そして、第１のソレノイド４３がＯＦＦの状態では、図９に示すように、下部規制部２６ｂだけが貯留部２４のコイン排出規制箇所２４ｄ内に突出して、貯留部２４からコインＣが払い出されないように規制している。一方、この状態から第１のソレノイド４３がＯＮ状態に切り換えられると、上部規制部２６ｃが貯留部２４のコイン排出規制箇所２４ｄ内に突出して、上部規制部２６ｃよりも上方に貯留されているコインＣ（下から２番目のコインＣ）が下方に流れることが規制されると同時に、下部規制部２６ｂが貯留部２４のコイン排出規制箇所２４ｄから後退して、下部規制部２６ｂと上部規制部２６ｃとの間にある１枚のコインＣ（最下端のコインＣ）だけが、貯留部２４のコイン排出規制箇所２４ｄから払い出されるようになっている。
【００２６】
また、図１０、図１１に示すように、第２の切換ガイド２７は、前記コイン排出規制箇所２４ｄの直下位置で、軸３１を中心として回動自在に支持されているとともに、図示しない第２のソレノイドが駆動連結部（図示せず）に連結され、前記第２のソレノイドによって軸３１を中心として回転駆動される。また、第２の切換ガイド２７には、コイン排出規制箇所２４ｄの下流方向に沿うように延びる仕切板２７ａなどを介して、手前側の第１通路２７ｂと奥側の第２通路２７ｃとが形成されている。そして、第２のソレノイドがＯＦＦの状態では、図１１に示すように、コイン排出規制箇所２４ｄの直下箇所に第２通路２７ｃが接続されるように配置され、この状態で、コイン排出規制箇所２４ｄからコインＣが払い出されると、第２通路２７ｃから回収案内路４２を介して、回収部４１（４１ｃ、４ｄ）に回収されるようになっている。一方、第２のソレノイドがＯＮの状態では、図１０に示すように、コイン排出規制箇所２４ｄの直下箇所に第１通路２７ｂが接続されるように回動され、この状態で、コイン排出規制箇所２４ｄからコインＣが払い出されると、第１通路２７ｂから取出口シュート４ａを介して、取出口４に払い出されるようになっている。
【００２７】
なお、第２通路２７ｃの手前側壁面部分は、コイン払出装置２０における、下端部手前側箇所に固定されたガイド枠４４によって形成され、このガイド枠４４には、取出口４側に払い出されるコインＣを計数するための検知センサ４５が取付けられている。
【００２８】
また、図４における２２ｂは、カバー２２に形成されたのぞき孔で、こののぞき孔２２ｂを通して、内部のコインの流れ状態などを観察可能に構成されている。
上記構成において、コイン投入口５からコインＣが投入されると、コインガイド１２を介してコイン選別機１１に導入され、コイン選別機１１でコインＣの種類に振り分けて選別される。そして、１０円玉や１００円玉のコインＣは、コイン導入通路１４ａ、１４ｂを介してコイン払出装置１５、１６に導入されて貯留された後、必要に応じて、取出口４またはコイン回収部４１（４１ａ，４１ｂ）に払い出される。
【００２９】
また、コイン選別機１１で選別された５０円玉や５００円玉のコインＣは、コイン導入通路１４ｃ、１４ｄを介してコイン払出装置２０に導入される。ここで、コイン払出装置２０の貯留部２４（２４Ａ、２４Ｂ）が満杯でない場合には、コイン満杯箇所２４ｃへの流路に対して第１の切換体２５の切換用リブ２５ｃが突出していないため、そのまま、貯留部２４側に導入される。一方、満杯となった貯留部２４では、コイン満杯箇所２４ｃのコインＣが第１の切換体２５のコイン当接部２５ｂに当たって、コイン満杯箇所２４ｃへの流路に第１の切換体２５の切換用リブ２５ｃが突出しているため、この切換用リブ２５ｃに案内されて、孔部２９ａ（図６参照）を通して回収用通路２９に導かれ、回収案内路４２を介して回収部４１に回収される。
【００３０】
また、コインＣが、貯留部２４に導入されると、貯留部２４の広幅部２４ａで、略千鳥状に２列になる状態で収納され、さらに下流側に流れると、接続部２４ｅを介して、細幅部２４ｂにおいて、一列の状態となり、下端位置では、コイン排出規制箇所２４ｄに突出した規制体２６の下部規制部２６ｂにより位置規制される。そして、払出指示に応じて、第１のソレノイド４３がＯＮされると、下部規制部２６ｂが後退して、この下端部のコインＣだけが払いだされる。そして、この際、第２のソレノイドへの出力のＯＮ・ＯＦＦに応じて、第２の切換ガイド２７が切り換えられ、第１通路２７ｂを介して取出口４に払い出されたり、第２通路２７ｃを介して回収部４１（４１ｃ、４ｄ）に回収されたりする。
【００３１】
上記構成によれば、コイン１枚分より大きくコイン２枚分より小さい厚みの深さの貯留部２４をベース部２１に形成し、このベース部２１をカバー２２で覆う構造であるため、極めて簡単な構成で安価にコイン払出装置２０を製造することができ、また、貯留部２４の深さをコイン２枚分よりも小さくすることで、若干変形したコインＣなどでも貯留部２４に詰まることが少ない。さらに、コインＣがその直径に沿う方向に１枚ずつ流れる構成であるので、第１の切換体２５や、規制体２６、第２の切換体２７を用いて、コインＣの流れ方向や、流れ状態を比較的簡単な構成で確実に制御できる。
【００３２】
しかも、貯留部２４が、コインＣが略千鳥状に２列になる状態で収納する形状に形成されているので、コインを１列に並べて貯留する場合に比べて、比較的多くの枚数のコインＣを貯留できる利点がある。
【００３３】
また、貯留部２４が側面視して傾斜して配置されているので、貯留部２４が上下方向に対して同じ高さでも、貯留部を垂直に配置した場合と比較してコインＣの貯留枚数を増加させることができる。そして、貯留部２４におけるコインを払い出すコイン払出部分が自動販売機本体１内の手前側になるように傾斜して配置されているので、コイン払出装置２０から払い出されたコインＣが直ぐに取出口４に払い出され、この結果、取出口４へのコイン返却動作を素早く行うことができ、利便性が良好である。
【００３４】
なお、上記実施の形態では、コイン選別機１１において正規でないコインと識別されたコインが払いだされる取出口４への戻し用通路５０が、図２に示すように、コイン払出装置２０の側方に配設した場合を述べたが、これに限るものではなく、図１２、図１３に示すように、戻し用通路５０をカバー２２の上部に一体形成するように構成してもよい。
【００３５】
また、上記実施の形態では、自動販売機が券売機である場合を述べたが、券売機以外の自動販売機にも適用できることはもちろんである。
【図面の簡単な説明】
【００３６】
【図１】（ａ）および（ｂ）は、本発明の実施の形態に係る自動販売機の全体正面図および全体側面図である。
【図２】同自動販売機の外扉を開けた状態の斜視図である。
【図３】同自動販売機のコインホッパ型のコイン払出装置の概略的な側面図である。
【図４】本発明の実施の形態に係る自動販売機のコイン払出装置の斜視図である。
【図５】同コイン払出装置の側面断面図である。
【図６】同コイン払出装置のカバーを省いた状態の斜視図である。
【図７】（ａ）および（ｂ）は、同コイン払出装置における第１の切換体の動作を説明するためのコイン払出装置全体の斜視図および要部側面断面図である。
【図８】（ａ）および（ｂ）は、同コイン払出装置における第１の切換体の動作を説明するためのコイン払出装置全体の斜視図および要部側面断面図である。
【図９】（ａ）および（ｂ）は、同コイン払出装置における規制体の動作を説明するためのコイン払出装置全体の斜視図および要部側面断面図である。
【図１０】（ａ）および（ｂ）は、同コイン払出装置における規制体および第２の切換体の動作を説明するためのコイン払出装置全体の斜視図および要部側面断面図である。
【図１１】（ａ）および（ｂ）は、同コイン払出装置における第２の切換体の動作を説明するためのコイン払出装置全体の斜視図および要部側面断面図である。
【図１２】本発明の他の実施の形態に係る自動販売機のコイン払出装置の斜視図である。
【図１３】同コイン払出装置の側面断面図である。
【符号の説明】
【００３７】
１        自動販売機本体
２        前面扉
３        取出口（コイン返却部）
５        コイン投入口
２０      コイン払出装置
２１      ベース部
２２      カバー２２
２３      側板部
２４、２４Ａ、２４Ｂ      貯留部
２４ａ    広幅部
２４ｂ    細幅部
２４ｅ    接続部
２４ｃ    コイン満杯箇所
２５      第１の切換体
２６      規制体
２７      第２の切換体
４１      コイン回収部
Ｃ        コイン
【図１】
2007087093.tif 000003
【図２】
2007087093.tif 000004
【図３】
2007087093.tif 000005
【図４】
2007087093.tif 000006
【図５】
2007087093.tif 000007
【図６】
2007087093.tif 000008
【図７】
2007087093.tif 000009
【図８】
2007087093.tif 000010
【図９】
2007087093.tif 000011
【図１０】
2007087093.tif 000012
【図１１】
2007087093.tif 000013
【図１２】
2007087093.tif 000014
【図１３】
2007087093.tif 000015